(57)【要約】【課題】読み取り画像に対して一定の読み取り解像度でスキャンすると必要以上に高い解像度でスキャンした結果、必要以上の画像データ容量になってしまう場合がある。又、逆の場合がある。又、画像圧縮を行う際には読み取り画像に対して一定の画像圧縮率で圧縮するため十分な容量に圧縮されていない場合がある。【解決手段】センサで読み取った画像データから演算された評価結果を基に合焦位置を決定する画像読取装置において、前記演算された評価結果から読み取り画像のパターンの疎密を判別し、その判別した画像の疎密によって設定された読み取り解像度に対して、読み取り解像度を変更する。【選択図】図１
2006060551.tif 000002
【特許請求の範囲】
【請求項１】
読み取り原稿を画像読み取りセンサ上に結像させる縮小光学系を持ち、その縮小光学系又は読み取り画像を結像方向に稼動させ、センサ上に合焦させる機構を持つ画像読取装置で、センサで読み取った画像データから演算された評価結果を基に合焦位置を決定する画像読取装置において、
前記演算された評価結果から読み取り画像のパターンの疎密を判別し、その判別した画像の疎密によって設定された読み取り解像度に対して、読み取り解像度を変更することを特徴とする画像読取装置。
【請求項２】
自動読み取りモードを持ち、センサで読み取った画像データから演算された評価結果を基に合焦位置を決定するために行った演算の評価結果から読み取り画像のパターンの疎密を判別し、その判別した画像の疎密によって本来設定された読み取り解像度に対して、自動で予め設定された読み取り解像度に変更して画像読み取りを行うことを特徴とする請求項１記載の画像読取装置。
【請求項３】
上記自動読み取りモードを複数持ち、それぞれの自動モードはそれぞれ特有の読み取り解像度の設定変更を行うことを特徴とする請求項２記載の画像読取装置。
【請求項４】
読み取り原稿を画像読み取りセンサ上に結像させる縮小光学系を持ち、その縮小光学系又は読み取り画像を結像方向に稼動させ、センサ上に合焦させる機構を持ち、読み取った画像を画像圧縮して画像データを出力する画像読取装置で、センサで読み取った画像データから演算された評価結果を基に合焦位置を決定する画像読取装置において、
その演算された評価結果から読み取り画像のパターンの疎密を判別し、その判別した画像の疎密によって読み取った画像の前記画像圧縮の画像圧縮率を決定することを特徴とする画像読取装置。
【請求項５】
自動圧縮モードを持ち、センサで読み取った画像データから演算された評価結果を基に合焦位置を決定するために行った演算の評価結果から読み取り画像のパターンの疎密を判別し、その判別した画像の疎密によって本来設定された画像圧縮率に対して、その画像圧縮率を変更し、画像圧縮を行うことを特徴とする請求項４記載の画像読取装置。
【請求項６】
上記自動圧縮モードを複数持ち、それぞれの自動モードはそれぞれ特有の画像圧縮率の設定変更を行うことを特徴とする請求項５記載の画像読取装置。
【発明の詳細な説明】
【技術分野】
【０００１】
本発明は、縮小光学系を有し、センサへの結像を自動合焦させて画像読み取りを行う画像読取装置に関するものである。
【背景技術】
【０００２】
従来はセンサへの結像を自動合焦させて画像読み取りを行う際、或る設定された読み取り解像度でスキャンするのが通例である。又、読み取られた画像は、予め設定された画像圧縮率で圧縮されるのが通例である。
【０００３】
【特許文献１】特開平０６−００４６５２号公報
【特許文献２】特開平０６−２５３１３１号公報
【発明の開示】
【発明が解決しようとする課題】
【０００４】
しかし、この場合、読み取り画像に対して一定の読み取り解像度でスキャンするため、読み取り画像に対して必要以上に細かな読み取り解像度でスキャンしてしまい、必要以上の画像データ容量になってしまう場合がある。又、逆に細かな読み取り画像に対して必要な読み取り解像度よりも荒い読み取り解像度でスキャンしてしまう場合がある。又、画像圧縮を行う際には読み取り画像に対して一定の画像圧縮率で圧縮するため細かな読み取り画像に対しては使用者が本来必要とされる十分な容量に圧縮されていない場合がある。
【０００５】
本発明は上記問題に鑑みてなされたもので、その目的とする処は、縮小光学系の自動焦点機構から演算によって得られた評価結果を基に画像読み取り解像度を変更することができる画像読取装置を提供することにある。
【０００６】
又、本発明の目的とする処は、読み取った画像を圧縮する際に縮小光学系の自動焦点機構から演算によって得られた評価結果を基にその画像圧縮率を変更することができる画像読取装置を提供することにある。
【課題を解決するための手段】
【０００７】
上記目的を達成するため、本発明は、読み取り原稿を画像読み取りセンサ上に結像させる縮小光学系を持ち、その縮小光学系又は読み取り画像を結像方向に稼動させ、センサ上に合焦させる機構を持つ画像読取装置で、センサで読み取った画像データから演算された評価結果を基に合焦位置を決定する画像読取装置において、前記演算された評価結果から読み取り画像のパターンの疎密を判別し、その判別した画像の疎密によって設定された読み取り解像度に対して、読み取り解像度を変更することを特徴とする。
【発明の効果】
【０００８】
本発明によれば、読み取り画像によって最適な読み取り解像度や画像圧縮率を自動で設定し、読み取り後の画像データの品位、画像データ容量を最適な設定状態で画像読み取りを行うことが可能となる。
【発明を実施するための最良の形態】
【０００９】
縮小光学系を合焦方向にある一定間隔で移動し、各々の間隔ごとに画像を読み取り、読み取った画像データの各出力値の差分を二乗した演算結果の最大値をもってして合焦位置と判断する自動合焦機構において、前記差分二乗値の最大値は前記読み取り画像の疎密の程度を現す評価値として利用する。
【００１０】
評価値が或る値より大きい場合は読み取り画像が細かい画像と想定されるので、
・細部まで克明に読み取るため本来設定されている読み取り解像度を更に細かな解像度に設定する。
・画像読み取り後の画像データを画像圧縮する場合を想定して或る画像サイズより容量が大きくならないようにするために本来設定されている読み取り解像度より荒い解像度に  設定する。
【００１１】
評価値が或る値より小さい場合には読み取り画像が荒い画像と想定されるので、
・画像読み取り後の画像データの画像圧縮においても、画像データがさほど大きい容量とはならないので、本来設定されている読み取り解像度より、細かい解像度を設定し、より高解像度画像データとして読み取りを行えるように設定する。
【００１２】
上記の読み取り解像度の設定を自動で行う自動読み取りモードを設定し、その読み取りモードに最適な読み取り解像度に自動で設定を行う。
【００１３】
又、読み取り画像の画像圧縮を行う際の画像圧縮率を前記差分二乗値の最大値を用いた読み取り画像の疎密の程度を現す評価値によって最適な画像圧縮率を予め設定されている画像圧縮率に対してその画像圧縮率の変更を行う。
・画像が前記評価値の結果、粗い画像と判断された場合は画像圧縮後の画像データ容量もさほど大きくならないので、予め設定された画像圧縮率に対して圧縮率の低い値に設定する。
・画像が前記評価値の結果、細かい画像と判断された場合は画像圧縮後の画像データ容量は大きいままとなってしまうので、予め設定された画像圧縮率に対して圧縮率の高い値に設定する。
【００１４】
上記画像圧縮率の設定を自動で行う自動圧縮モードを設定し、その圧縮モードに最適な画像圧縮率に自動で設定を行う。
【００１５】
＜実施の形態１＞
図１は本発明の実施の形態１を最も良く表しているブロック図である。
【００１６】
図１において、１は画像として読み取るための読み取り画像、３は本体内の画像を読み取るためのセンサ、２は読み取り画像１をセンサ３に結像するための縮小光学系、４はセンサ３の画像出力をある特定な読み取り解像度でスキャンし信号処理し、読み取った画像データを出力する信号処理部、５は縮小光学系２を移動させ、読み取り画像１をセンサ３に結像させるためのフォーカス機構、６は信号処理部４の信号出力を受けつつ、信号処理部４の読取り解像度を設定し、フォーカス機構５を制御するためのＣＰＵである。
【００１７】
７は読取り画像１を副走査方向に移動させるキャリッジ、８はＣＰＵ６の制御に基づいて実際にキャリッジ７を駆動するキャリッジ駆動系である。
【００１８】
縮小光学系２を結像方向にある特定間隔で移動させることによってセンサ３に結像された読み取り画像１は画像信号としてセンサ３より信号処理部４に出力される。信号処理部４では、入力されたセンサ３の信号をデジタルデータに変換し、画像データとして、縮小光学系２のそれぞれの移動位置における画像データとして処理され出力する。ＣＰＵ６は、画像データから選られた情報より縮小光学系２を適切な位置に移動し読取り画像１をセンサ３に結像させる。又、読取り解像度に合わせて適切な送り速度でキャリッジ７を副走査方向に移動させるべくキャリッジ駆動系８を制御する。同時に画像処理部４の読取り解像度も併せて制御する。
【００１９】
ここで、ＣＰＵ６が縮小光学系２を制御した結果、信号処理部４が出力した画像データを或る演算処理を行った結果得られた評価値によって縮小光学系２がどの位置において合焦しているかを決定する。本実施の形態では、例えばその演算結が読取り画像が細かな画像ほど大きい数値を示し、荒い画像ほど低い値を評価値として演算する場合を例に説明する。
【００２０】
評価値が或る値より大きい場合、ＣＰＵ６は読取り画像１が細かな画像であると判断し、実際に読取る読取り解像度を現在の設定値よりより細かな読み取り解像度として読取れるように信号処理部４の読取り解像度を制御し、キャリッジ駆動系８の送り速度を制御する。その結果、最終的に信号処理部４の出力する出力画像データは読取り画像の細かな画像情報を正確に残した画像データとして得られるようになる。
【００２１】
又、逆にＣＰＵ６は現在設定している読取り解像度より荒い解像度で読取れるように画像処理部４とキャリッジ駆動系８を制御し、最終的に信号処理部４の出力する出力画像データは、データ容量が少なく抑えられるので、画像データ容量を少なく抑えてスキャンしようとするときに便利である。
【００２２】
このようにＣＰＵ６は最終画像データの使用目的に合わせて自動で読取り解像度を設定することが可能となる。
【００２３】
評価値が或る値より小さい場合も前記同様に最終画像データの使用用途に合わせてＣＰＵ６は読取り解像度を自動で設定することが可能となる。
【００２４】
次に、本発明の実施の形態１を「図２」のフローチャートにて説明する。
【００２５】
ＣＰＵ６は、信号処理部４、キャリッジ駆動系８の解像度を初期状態にセットする（Ａ）。
【００２６】
次に、ＣＰＵ６はフォーカス機構５をスタート位置に移動させる（Ｂ）。
【００２７】
縮小光学系２によってセンサ３に結像された読取り画像１はセンサ３の信号出力として信号処理部４に出力され画像読み取りを開始する（Ｃ）。
【００２８】
次に、信号処理部から出力された画像データは、ＣＰＵ６によってフォーカス演算処理される（Ｄ）。
【００２９】
次に、ＣＰＵ６は、フォーカス機構５を操作しフォーカス位置を一定量移動する（Ｅ）。移動後のフォーカス位置が終点であるかを確認し（Ｆ）、終端でないならば（ＮＯ）フォーカス演算（Ｄ）に移り、終端であるならば（ＹＥＳ）次の動作に移行する。
【００３０】
次の動作ではフォーカス演算（Ｄ）で得られた演算結果から読取り画像１のフォーカス評価値を抽出する（Ｇ）。
【００３１】
ＣＰＵ６は、得られたフォーカス評価値が或る値よりも大きいか小さいかを評価し（Ｈ）、フォーカス評価値が画像の細かい画像であることを示す場合（ＹＥＳ）はキャリッジ駆動系８及び信号処理部４の解像度を初期状態よりも低解像度読み取りができる状態に設定し（Ｉ）、次の状態であるスキャン動作開始状態（Ｋ）に移行する。
【００３２】
逆にフォーカス評価値が画像の荒い画像であることを示す場合（ＮＯ）はキャリッジ駆動系８及び信号処理部４の解像度を初期状態よりも高解像度読み取りができる状態に設定し（Ｊ）、次の状態であるスキャン動作開始状態（Ｋ）に移行する。
【００３３】
尚、上記説明は細かな画像の場合の解像度を低解像度に設定する場合を述べたが、逆の高解像度に設定する場合でもほぼ同様である。
【００３４】
＜実施の形態２＞
前記実施の形態１の画像読取装置に自動読み取りモードを設ける。自動読み取りモードはフォーカス評価値の結果から細かい画像であると判断された場合、読み取り解像度を初期設定値よりも高い解像度に設定して画像読み取りを行って、読み取り画像の細かな画像情報を正確に残した画像データとして得られるように動作する。
【００３５】
逆にフォーカス評価値の結果から粗い画像であると判断された場合は、読み取り解像度を初期設定値よりも低い解像度に設定して画像読み取りを行って、読み取り後の画像データを少なく抑えるように動作する。
【００３６】
これによって読み取り画像に最適な画質で、且つ、必要以上な画像データ容量となら無いように画像読み取りを可能とする画像読取装置を提供することが可能である。
【００３７】
尚、本実施の形態２では、細かな画像は高解像度で、粗い画像は低解像度で画像読み取りを行う場合を説明したが、細かな画像は低解像度で、粗い解像度は高解像度で画像読み取りを行うように逆に設定すれば、読み取り画像によって画像読み取り後の画像データ容量を適切に低く抑えることが可能な画像読取装置を提供することが可能である。このような場合は必要以上の解像度で画像読み取りを行ってしまい、画像データ容量ばかりが大きくなって画像の荒まで目立ってしまい、返って画像の品位を落としてしまうようなことも未然に防ぐことが可能となる。
【００３８】
又、自動読み取りモードの設定方法は画像読取装置本体のハードウェアを用いた切り替えによる設定でも、ソフトウェアを用いた切り替えによる設定でも全く同等の効果を得られる。
【００３９】
＜実施の形態３＞
前記実施の形態２において説明した自動読み取りモードを複数設け、使用者が選択できるようにすることで、使用者にとって解像度や、画像データ容量等の難解な内容を理解する必要がなく簡単に使用者が正に要望している設定状態で画像読み取りを行うことが可能な画像読取装置を提供することが可能となる。
【００４０】
具体的には高画質モード、低容量モード等を複数設け使用者はその二者択一をするだけで複雑な設定をすることなく最適な解像度で画像読み取りを行うことができる画像読取装置を提供することが可能となる。
【００４１】
高画質モードとは、細かい画像はより高解像度で画像読み取り、粗い画像はより低解像度で読み取りを行うモードである。
【００４２】
低容量モードとは、細かい画像ほどより低解像度で画像読み取りを行うモードである。勿論、ここで言う細かい画像、粗い画像とはフォーカス評価値の結果から判断したものであることは言うまでもない。
【００４３】
更に、自動読み取りモードを名称によって更に詳細に分類し、使用者にとってより官能的に画像読み取りの設定を行うことを可能とする。具体的には、高画質を基本とする写真モード、印刷モード、画像データ容量を低く抑えることを基本とする電子メールモード、添付書類モード、Ｗｅｂモード、標準的な解像度を基本とする壁紙モード、サービスサイズモード等の設定が考えられる。
【００４４】
高画質とは数１０００ｄｐｉ相当のプリンターを用いてＡ３サイズ等で印刷して高画質を得られるように読み取り解像度を設定するモードである。画像データ容量を低く抑えることとは、電子メールの添付書類に最適なファイルサイズである数１０ｋＢに画像読み取り後の画像データ容量を抑えることを目標とするモードである。標準的な解像度とは、本発明を採用した画像読取装置の基準設定での画像読み取りを行うモードである。又は、スクリーンサイズに最適な画像サイズを得られるような画像読み取りモードや、印刷してサービスサイズに最適な解像度となるように画像読み取りを行うモードである。
【００４５】
このようにすれば使用者は解像度等の複雑な設定を一切考えることなく、正に必要とする画像読み取りを簡単に行うことができる画像読取装置を提供することが可能となる。
【００４６】
＜実施の形態４＞
図３は本発明の実施の形態４を最も良く現しているブロック図である。
【００４７】
１は画像として読み取るための読み取り画像、３は本体内の画像を読み取るためのセンサ、２は読み取り画像１をセンサ３に結像するための縮小光学系、４はセンサ３の画像出力を或る特定な読み取り解像度でスキャンし信号処理し、読み取った画像データを出力する信号処理部、５は縮小光学系２を移動させ、読み取り画像１をセンサ３に結像させるためのフォーカス機構、６は信号処理部４の信号出力を受けつつ、信号処理部４の読取り解像度を設定し、フォーカス機構５を制御するためのＣＰＵである。
【００４８】
７は読取り画像１を副走査方向に移動させるキャリッジ、８はＣＰＵ６の制御に基づいて実際にキャリッジ７を駆動するキャリッジ駆動系である。９は信号処理部４の出力した画像データをＣＰＵ６の制御に基づいて或る特定の画像圧縮率で画像圧縮を行う画像圧縮器である。
【００４９】
縮小光学系２を結像方向に或る特定間隔で移動させることによってセンサ３に結像された読み取り画像１は、画像信号としてセンサ３より信号処理部４に出力される。信号処理部４では、入力されたセンサ３の信号をデジタルデータに変換し、画像データとして、縮小光学系２のそれぞれの移動位置における画像データとして処理され出力する。ＣＰＵ６は、画像データから選られた情報より縮小光学系２を適切な位置に移動し読取り画像１をセンサ３に結像させる。又、読取り解像度に合わせて適切な送り速度でキャリッジ７を副走査方向に移動させるべくキャリッジ駆動系８を制御する。同時に画像圧縮部９の画像圧縮率も併せて制御する。
【００５０】
ここで、ＣＰＵ６が縮小光学系２を制御した結果、信号処理部４が出力した画像データを或る演算処理を行った結果得られた評価値によって縮小光学系２がどの位置において合焦しているかを決定する。本実施の形態では、例えばその演算結が読み取り画像が細かな画像ほど大きい数値を示し、荒い画像ほど低い値を評価値として演算する場合を例に説明する。
【００５１】
最終的に得られる画像データのデータ容量を少なくてスキャンしようとする場合は、本実施の形態では以下に述べるように動作する。
【００５２】
評価値が或る値より大きい場合、ＣＰＵ６は、読み取り画像１が細かな画像であると判断し、画像圧縮後も画像データ容量が小さくならないことが予想できるので、画像圧縮率を現在の設定値よりより高い圧縮率となるように画像圧縮部９の画像圧縮率を制御する。その結果、最終的に画像データとして出力される出力画像データはデータ容量の余り大きくならない適正容量に圧縮された画像データとして得られるようになる。
【００５３】
このように最終的に画像圧縮部９の出力する出力画像データは、データ容量が少なく抑えられるので、画像データ容量を少なく抑えてスキャンしようとする時に便利である。
【００５４】
又、最終画像データを高画質度のまま得ようとする場合は、本実施の形態では以下のように動作する。
【００５５】
評価値が或る値より大きい場合、ＣＰＵ６は、読み取り画像１が細かな画像であると判断し、高画質を維持する事が必要な画像と判断し、圧縮後も高画質を維持できるように、画像圧縮率を現在の設定値よりより低い圧縮率となるように画像圧縮部９の画像圧縮率を制御する。その結果、最終的に画像データとして出力される出力画像データは、画像圧縮後であっても高画質が維持された画像データとして得られるようになる。
【００５６】
このようにＣＰＵ６は最終画像データの使用目的に合わせて自動で画像圧縮率を設定することが可能となる。
【００５７】
評価値が或る値より小さい場合も前記同様に最終画像データの使用用途に合わせてＣＰＵ６は画像圧縮率を自動で設定することが可能となる。
【００５８】
次に、本発明の実施の形態を図４のフローチャートにて説明する。
【００５９】
ＣＰＵ６は、信号処理部４、キャリッジ駆動系８の解像度を初期状態にセットする（Ａ）。
【００６０】
次に、ＣＰＵ６はフォーカス機構５をスタート位置に移動させる（Ｂ）。
【００６１】
縮小光学系２によってセンサ３に結像された読取り画像１は、センサ３の信号出力として信号処理部４に出力され画像読み取りを開始する（Ｃ）。
【００６２】
次に、信号処理部から出力された画像データは、ＣＰＵ６によってフォーカス演算処理される（Ｄ）。
【００６３】
次に、ＣＰＵ６はフォーカス機構５を操作し、フォーカス位置を一定量移動する（Ｅ）。移動後のフォーカス位置が終点であるかを確認し（Ｆ）、終端でないならば（ＮＯ）フォーカス演算（Ｄ）に移り、終端であるならば（ＹＥＳ）次の動作に移行する。
【００６４】
次の動作では、フォーカス演算（Ｄ）で得られた演算結果から読取り画像１のフォーカス評価値を抽出する（Ｇ）。
【００６５】
ＣＰＵ６は、得られたフォーカス評価値が或る値よりも大きいか小さいかを評価し（Ｈ）、フォーカス評価値が画像の細かい画像であることを示す場合（ＹＥＳ）は画像圧縮部９の画像圧縮率を初期状態よりも高い圧縮率で画像圧縮ができる状態に設定し（Ｉ）、次の状態であるスキャン動作開始状態（Ｋ）に移行する。
【００６６】
逆にフォーカス評価値が画像の荒い画像であることを示す場合（ＮＯ）は画像圧縮部９の画像圧縮率を初期状態よりも低い圧縮率で画像圧縮ができる状態に設定し（Ｊ）、次の状態であるスキャン動作開始状態（Ｋ）に移行する。
【００６７】
信号処理部４から得られた読み取り画像は、前記設定された画像圧縮率で画像圧縮を行って（Ｌ）最終的に画像データとして出力する。
【００６８】
尚、上記説明は細かな画像の場合に高い圧縮率で画像圧縮を行うように設定する場合を述べたが、逆の低い圧縮率に設定する場合でもほぼ同様である。
【００６９】
＜実施の形態５＞
前記実施の形態１の画像読取装置に自動圧縮モードを設ける。自動圧縮モードは、フォーカス評価値の結果から細かい画像であると判断された場合、画像圧縮率を初期設定値よりも低い圧縮率に設定して読み取り画像の画像圧縮を行って、読み取り画像の細かな画像情報を適正に残した圧縮画像データとして得られるように動作する。
【００７０】
逆にフォーカス評価値の結果から粗い画像であると判断された場合は、画像圧縮率を初期設定値よりも高い圧縮率に設定して読み取り画像の画像圧縮を行って、読み取り後の画像データを少なく抑えるように動作する。これによって読み取り画像に最適な画質で、且つ、必要以上な画像データ容量とならないように画像読み取りを可能とする画像読取装置を提供することが可能である。
【００７１】
尚、本実施の形態では、細かな画像は低い圧縮率で、粗い画像は高い圧縮率で画像読み取りを行う場合を説明したが、細かな画像は高い圧縮率で、粗い解像度は低い圧縮率で画像読み取りを行うように逆に設定すれば、読み取り画像によって画像読み取り後の画像データ容量を適切に低く抑えることが可能な画像読取装置を提供することが可能である。このような場合は最終的に必要とされる圧縮画像データ容量が限られている時に用いると有用である。
【００７２】
又、自動圧縮モードの設定方法は画像読取装置本体のハードウェアを用いた切り替えによる設定でも、ソフトウェアを用いた切り替えによる設定でも全く同等の効果を得られる。
【００７３】
＜実施の形態６＞
前記実施の形態５において説明した自動圧縮モードを複数設け、使用者が選択できるようにすることで、使用者にとって画像圧縮率や、画像データ容量等の難解な内容を理解する必要がなく簡単に使用者が正に要望している設定状態で画像読み取りを行うことが可能な画像読取装置を提供することが可能となる。
【００７４】
具体的には、高画質モード、低容量モード等を複数設け、使用者はその二者択一をするだけで複雑な設定をすることなく最適な圧縮率で画像圧縮を行い、最終的に必要な画像データ容量に最適な画像圧縮率で画像読み取りを行うことができる画像読取装置を提供することが可能となる。
【００７５】
高画質モードとは、細かい画像は画像圧縮をして画像データ容量を抑えても高画質を維持したまま画像読み取り、粗い画像はより高い圧縮率で画像圧縮を行い、元々荒い画像のため高い圧縮率でもさほど画像の品位を損なうことがない読み取り画像データが得られるモードである。
【００７６】
低容量モードとは、細かい画像ほどより高い画像圧縮率で画像圧縮を行い、最終的に得られる画像データ容量を或る一定の容量に抑えたい場合に採用するモードである。勿論、ここで言う細かい画像、粗い画像とはフォーカス評価値の結果から判断したものであることは言うまでもない。
【００７７】
更に、自動圧縮モードを名称によって更に詳細に分類し、使用者にとってより官能的に画像読み取りの設定を行うことを可能とする。
【００７８】
具体的には、高画質を基本とする写真モード、印刷モード。画像データ容量を低く抑えることを基本とする電子メールモード、添付書類モード、Ｗｅｂモード、標準的な画像圧縮率を基本とする壁紙モード、サービスサイズモード等の設定が考えられる。
【００７９】
高画質とは、数１００ｄｐｉ相当のプリンターを用いてＡ４サイズ等で印刷して高画質を得られるように画像圧縮率を設定するモードである。画像データ容量を低く抑えることとは、電子メールの添付書類に最適なファイルサイズである数１０ｋＢに画像読み取り後の画像データ容量を抑えることを目標とするモードである。標準的な画像圧縮率とは、本発明を採用した画像読取装置の基準設定での画像読み取りを行うモードである。又はスクリーンサイズに最適な画像サイズを得られるような画像読み取りモードや、印刷してサービスサイズに最適な解像度となり、且つ、画像データ容量が適正なサイズとなるように画像読み取りを行うモードである。
【００８０】
このようにすれば使用者は画像圧縮率等の複雑な設定を一切考えることなく、正に必要とする画像読み取りを簡単に行うことができる画像読取装置を提供することが可能となる。
【図面の簡単な説明】
【００８１】
【図１】本発明の実施の形態１を示すブロック図である。
【図２】本発明の実施の形態１を示すフローチャートである。
【図３】本発明の実施の形態４を示すブロック図である。
【図４】本発明の実施の形態４を示すフローチャートである。
【符号の説明】
【００８２】
１  読取り画像
２  縮小光学系
３  センサ
４  信号処理部
５  フォーカス機構
６  ＣＰＵ
７  キャリッジ
８  キャリッジ駆動系
９  画像圧縮器
【図１】
2006060551.tif 000003
【図２】
2006060551.tif 000004
【図３】
2006060551.tif 000005
【図４】
2006060551.tif 000006